(57)【要約】【課題】画像形成装置内で実行される具体的な処理動作を基に、省エネモード移行時間を自動的に設定することを可能とする画像形成装置を提供する。【解決手段】印刷枚数を計測する処理と、描画処理を実行している描画処理時間を計測する処理と、印刷待機状態に移行してから印刷起動状態になるまでの待機状態時間を計測する処理と、省エネモードに移行してから該省エネモードから復帰するまでの省エネモード時間を計測する処理と、の少なくとも１つの処理を行う。そして、その少なくとも１つの処理を行った際に計測される印刷枚数と、描画処理時間と、待機状態時間と、省エネモード時間と、の少なくとも１つの情報に応じた省エネモード移行時間に設定する。【選択図】図１
2008065274.tif 000002
【特許請求の範囲】
【請求項１】
印刷枚数を計測する印刷枚数計測手段と、描画処理を実行している描画処理時間を計測する描画処理時間測定手段と、印刷待機状態に移行してから印刷起動状態になるまでの待機状態時間を計測する待機状態時間測定手段と、省エネモードに移行してから該省エネモードから復帰するまでの省エネモード時間を計測する省エネモード時間測定手段と、の少なくとも１つの手段と、
前記印刷枚数と、前記描画処理時間と、前記待機状態時間と、前記省エネモード時間と、の少なくとも１つの情報に応じた省エネモード移行時間に設定する省エネモード移行時間設定手段と、
を有することを特徴とする画像形成装置。
【請求項２】
前記印刷枚数と、前記描画処理時間と、前記待機状態時間と、前記省エネモード時間と、の少なくとも１つの情報と、該１つの情報に応じた省エネモード移行時間と、を管理する省エネモード移行時間管理手段を有し、
前記省エネモード移行時間設定手段は、
前記省エネモード移行時間管理手段にて管理されている情報を基に、前記印刷枚数と、前記描画処理時間と、前記待機状態時間と、前記省エネモード時間と、の少なくとも１つの情報に応じた省エネモード移行時間に設定することを特徴とする請求項１記載の画像形成装置。
【請求項３】
印刷枚数を計測する印刷枚数計測手段と、
前記印刷枚数に応じた省エネモード移行時間に設定する省エネモード移行時間設定手段と、
を有することを特徴とする画像形成装置。
【請求項４】
前記印刷枚数と、該印刷枚数に応じた省エネモード移行時間と、を管理する省エネモード移行時間管理手段を有し、
前記省エネモード移行時間設定手段は、
前記省エネモード移行時間管理手段にて管理されている情報を基に、前記印刷枚数に応じた省エネモード移行時間に設定することを特徴とする請求項３記載の画像形成装置。
【請求項５】
描画処理を実行している描画処理時間を計測する描画処理時間測定手段と、
前記描画処理時間に応じた省エネモード移行時間に設定する省エネモード移行時間設定手段と、
を有することを特徴とする画像形成装置。
【請求項６】
前記描画処理時間と、該描画処理時間に応じた省エネモード移行時間と、を管理する省エネモード移行時間管理手段を有し、
前記省エネモード移行時間設定手段は、
前記省エネモード移行時間管理手段にて管理されている情報を基に、前記描画処理時間に応じた省エネモード移行時間に設定することを特徴とする請求項５記載の画像形成装置。
【請求項７】
印刷待機状態に移行してから印刷起動状態になるまでの待機状態時間を計測する待機状態時間測定手段と、
前記待機状態時間に応じた省エネモード移行時間に設定する省エネモード移行時間設定手段と、
を有することを特徴とする画像形成装置。
【請求項８】
前記待機状態時間と、該待機状態時間に応じた省エネモード移行時間と、を管理する省エネモード移行時間管理手段を有し、
前記省エネモード移行時間設定手段は、
前記省エネモード移行時間管理手段にて管理されている情報を基に、前記待機状態時間に応じた省エネモード移行時間に設定することを特徴とする請求項７記載の画像形成装置。
【請求項９】
省エネモードに移行してから該省エネモードから復帰するまでの省エネモード時間を計測する省エネモード時間測定手段と、
前記省エネモード時間に応じた省エネモード移行時間に設定する省エネモード移行時間設定手段と、
を有することを特徴とする画像形成装置。
【請求項１０】
前記省エネモード時間と、該省エネモード時間に応じた省エネモード移行時間と、を管理する省エネモード移行時間管理手段を有し、
前記省エネモード移行時間設定手段は、
前記省エネモード移行時間管理手段にて管理されている情報を基に、前記省エネモード時間に応じた省エネモード移行時間に設定することを特徴とする請求項９記載の画像形成装置。
【請求項１１】
前記省エネモード移行時間管理手段にて管理されている前記省エネモード移行時間を変更する変更手段を有することを特徴とする請求項２、４、６、８、１０の何れか１項に記載の画像形成装置。
【請求項１２】
前記省エネモード移行時間設定手段により設定した省エネモード移行時間を通知する通知手段を有することを特徴とする請求項１から１０の何れか１項に記載の画像形成装置。
【請求項１３】
前記省エネモード移行時間設定手段による設定を実行するか否かを決定する実行可否決定手段を有することを特徴とする請求項１から１０の何れか１項に記載の画像形成装置。
【請求項１４】
印刷枚数を計測する印刷枚数計測工程と、描画処理を実行している描画処理時間を計測する描画処理時間測定工程と、印刷待機状態に移行してから印刷起動状態になるまでの待機状態時間を計測する待機状態時間測定工程と、省エネモードに移行してから該省エネモードから復帰するまでの省エネモード時間を計測する省エネモード時間測定工程と、の少なくとも１つの工程と、
前記印刷枚数と、前記描画処理時間と、前記待機状態時間と、前記省エネモード時間と、の少なくとも１つの情報に応じた省エネモード移行時間に設定する省エネモード移行時間設定工程と、
を画像形成装置において行うことを特徴とする省エネ設定方法。
【請求項１５】
印刷枚数を計測する印刷枚数計測処理と、描画処理を実行している描画処理時間を計測する描画処理時間測定処理と、印刷待機状態に移行してから印刷起動状態になるまでの待機状態時間を計測する待機状態時間測定処理と、省エネモードに移行してから該省エネモードから復帰するまでの省エネモード時間を計測する省エネモード時間測定処理と、の少なくとも１つの処理と、
前記印刷枚数と、前記描画処理時間と、前記待機状態時間と、前記省エネモード時間と、の少なくとも１つの情報に応じた省エネモード移行時間に設定する省エネモード移行時間設定処理と、
を画像形成装置に実行させることを特徴とする省エネ設定プログラム。
【発明の詳細な説明】
【技術分野】
【０００１】
本発明は、コピー、プリンタ、ファクス、スキャナ等の画像形成装置に関し、特に、一定時間の間、画像形成装置を使用しなかった場合に消費電力を落とす機能（省エネモード、省電力モード）を搭載した画像形成装置、省エネ設定方法及び省エネ設定プログラムに関するものである。
【背景技術】
【０００２】
装置を一定時間使用しなかった場合には、消費電力を落とす機能（省エネモード、省電力モード）は、省エネルギー化が求められている近年においては様々な分野において適用されている機能である。
【０００３】
特に、コピー、ファックス、プリンタ、スキャナ等の画像形成装置においても上述した省エネモードは必須の機能となっている。
【０００４】
なお、上述した省エネモードは、一般的には、画像形成装置内に予め設定された時間（省エネモード移行時間）の間に、画像形成装置での実行処理がない場合に、省エネモードに移行するのが一般的である。
【０００５】
しかしながら、上述した省エネモード移行時間は、常に一定であり、その画像形成装置の使用状況が反映されていないのが現状である。
【０００６】
なお、上述した省エネモード移行時間が画像形成装置の使用状況を反映したものであれば、例えば、昼休みのように使用頻度が少ない場合には、省エネモードに直ちに移行し、効率的な電力削減を行うことが可能となる。
【０００７】
逆に、使用頻度が多い場合には、待機状態を長くし、印刷を行えるようにしたりすることが可能となる。これにより、省エネモードからの復帰を待つことなく、印刷処理が可能となり、利便性を向上させることが可能となる。
【０００８】
なお、本発明より先に出願された技術文献として、店舗に複数台設置されている自動機において電力の浪費を抑制し効率のよい省エネ運用ができ、顧客サービス向上が期待できる自動機の省エネ稼働管理システムについて開示された文献がある（例えば、特許文献１参照）。
【０００９】
また、省エネモードに入るまでの適正な待機時間を画像形成装置の置かれた事業所やオフィスの環境に応じて、さらにユーザの使用状況に合わせて自動的に決定することが可能な画像形成装置について開示された文献がある（例えば、特許文献２参照）。
【特許文献１】特開２００３−２０８６５７号公報
【特許文献２】特開２００４−１０１９１９号公報
【発明の開示】
【発明が解決しようとする課題】
【００１０】
しかしながら、上述した特許文献１、２には、画像形成装置内で実行される具体的な処理動作を基に、省エネモード移行時間を自動的に設定することについてまでは示唆されていない。
【００１１】
本発明は、上記事情に鑑みてなされたものであり、画像形成装置内で実行される具体的な処理動作を基に、省エネモード移行時間を自動的に設定することを可能とする画像形成装置、省エネ設定方法及び省エネ設定プログラムを提供することを目的とするものである。
【課題を解決するための手段】
【００１２】
かかる目的を達成するために、本発明は、以下の特徴を有することとする。
【００１３】
本発明にかかる画像形成装置は、印刷枚数を計測する印刷枚数計測手段と、描画処理を実行している描画処理時間を計測する描画処理時間測定手段と、印刷待機状態に移行してから印刷起動状態になるまでの待機状態時間を計測する待機状態時間測定手段と、省エネモードに移行してから該省エネモードから復帰するまでの省エネモード時間を計測する省エネモード時間測定手段と、の少なくとも１つの手段と、印刷枚数と、描画処理時間と、待機状態時間と、省エネモード時間と、の少なくとも１つの情報に応じた省エネモード移行時間に設定する省エネモード移行時間設定手段と、を有することを特徴とするものである。
【００１４】
また、本発明にかかる画像形成装置は、印刷枚数と、描画処理時間と、待機状態時間と、省エネモード時間と、の少なくとも１つの情報と、該１つの情報に応じた省エネモード移行時間と、を管理する省エネモード移行時間管理手段を有し、省エネモード移行時間設定手段は、省エネモード移行時間管理手段にて管理されている情報を基に、印刷枚数と、描画処理時間と、待機状態時間と、省エネモード時間と、の少なくとも１つの情報に応じた省エネモード移行時間に設定することを特徴とするものである。
【００１５】
また、本発明にかかる画像形成装置は、印刷枚数を計測する印刷枚数計測手段と、印刷枚数に応じた省エネモード移行時間に設定する省エネモード移行時間設定手段と、を有することを特徴とするものである。
【００１６】
また、本発明にかかる画像形成装置は、印刷枚数と、該印刷枚数に応じた省エネモード移行時間と、を管理する省エネモード移行時間管理手段を有し、省エネモード移行時間設定手段は、省エネモード移行時間管理手段にて管理されている情報を基に、印刷枚数に応じた省エネモード移行時間に設定することを特徴とするものである。
【００１７】
また、本発明にかかる画像形成装置は、描画処理を実行している描画処理時間を計測する描画処理時間測定手段と、描画処理時間に応じた省エネモード移行時間に設定する省エネモード移行時間設定手段と、を有することを特徴とするものである。
【００１８】
また、本発明にかかる画像形成装置は、描画処理時間と、該描画処理時間に応じた省エネモード移行時間と、を管理する省エネモード移行時間管理手段を有し、省エネモード移行時間設定手段は、省エネモード移行時間管理手段にて管理されている情報を基に、描画処理時間に応じた省エネモード移行時間に設定することを特徴とするものである。
【００１９】
また、本発明にかかる画像形成装置は、印刷待機状態に移行してから印刷起動状態になるまでの待機状態時間を計測する待機状態時間測定手段と、待機状態時間に応じた省エネモード移行時間に設定する省エネモード移行時間設定手段と、を有することを特徴とするものである。
【００２０】
また、本発明にかかる画像形成装置は、待機状態時間と、該待機状態時間に応じた省エネモード移行時間と、を管理する省エネモード移行時間管理手段を有し、省エネモード移行時間設定手段は、省エネモード移行時間管理手段にて管理されている情報を基に、待機状態時間に応じた省エネモード移行時間に設定することを特徴とするものである。
【００２１】
また、本発明にかかる画像形成装置は、省エネモードに移行してから該省エネモードから復帰するまでの省エネモード時間を計測する省エネモード時間測定手段と、省エネモード時間に応じた省エネモード移行時間に設定する省エネモード移行時間設定手段と、を有することを特徴とするものである。
【００２２】
また、本発明にかかる画像形成装置は、省エネモード時間と、該省エネモード時間に応じた省エネモード移行時間と、を管理する省エネモード移行時間管理手段を有し、省エネモード移行時間設定手段は、省エネモード移行時間管理手段にて管理されている情報を基に、省エネモード時間に応じた省エネモード移行時間に設定することを特徴とするものである。
【００２３】
また、本発明にかかる画像形成装置は、省エネモード移行時間管理手段にて管理されている省エネモード移行時間を変更する変更手段を有することを特徴とするものである。
【００２４】
また、本発明にかかる画像形成装置は、省エネモード移行時間設定手段により設定した省エネモード移行時間を通知する通知手段を有することを特徴とするものである。
【００２５】
また、本発明にかかる画像形成装置は、省エネモード移行時間設定手段による設定を実行するか否かを決定する実行可否決定手段を有することを特徴とするものである。
【００２６】
また、本発明にかかる省エネ設定方法は、印刷枚数を計測する印刷枚数計測工程と、描画処理を実行している描画処理時間を計測する描画処理時間測定工程と、印刷待機状態に移行してから印刷起動状態になるまでの待機状態時間を計測する待機状態時間測定工程と、省エネモードに移行してから該省エネモードから復帰するまでの省エネモード時間を計測する省エネモード時間測定工程と、の少なくとも１つの工程と、印刷枚数と、描画処理時間と、待機状態時間と、省エネモード時間と、の少なくとも１つの情報に応じた省エネモード移行時間に設定する省エネモード移行時間設定工程と、を画像形成装置において行うことを特徴とするものである。
【００２７】
また、本発明にかかる省エネ設定プログラムは、印刷枚数を計測する印刷枚数計測処理と、描画処理を実行している描画処理時間を計測する描画処理時間測定処理と、印刷待機状態に移行してから印刷起動状態になるまでの待機状態時間を計測する待機状態時間測定処理と、省エネモードに移行してから該省エネモードから復帰するまでの省エネモード時間を計測する省エネモード時間測定処理と、の少なくとも１つの処理と、印刷枚数と、描画処理時間と、待機状態時間と、省エネモード時間と、の少なくとも１つの情報に応じた省エネモード移行時間に設定する省エネモード移行時間設定処理と、を画像形成装置に実行させることを特徴とするものである。
【発明の効果】
【００２８】
本発明によれば、画像形成装置内で実行される具体的な処理動作を基に、省エネモード移行時間を自動的に設定することが可能となる。
【発明を実施するための最良の形態】
【００２９】
まず、本実施形態における画像形成装置の特徴について説明する。
【００３０】
本実施形態における画像形成装置は、印刷枚数を計測する処理と、描画処理を実行している描画処理時間を計測する処理と、印刷待機状態に移行してから印刷起動状態になるまでの待機状態時間を計測する処理と、省エネモードに移行してから該省エネモードから復帰するまでの省エネモード時間を計測する処理と、の少なくとも１つの処理を行う。そして、その少なくとも１つの処理を行った際に計測される印刷枚数と、描画処理時間と、待機状態時間と、省エネモード時間と、の少なくとも１つの情報に応じた省エネモード移行時間に設定することを特徴とするものである。これにより、画像形成装置内で実行される具体的な処理動作を基に、省エネモード移行時間を自動的に設定することが可能となる。以下、添付図面を参照しながら、本実施形態の画像形成装置について説明する。
【００３１】
（第１の実施形態）
まず、図１を参照しながら、本実施形態の画像形成装置（１００）の構成について説明する。なお、図１は、本実施形態の画像形成装置（１００）の概略構成を示すブロック図である。
【００３２】
本実施形態における画像形成装置（１００）は、図１に示すように、ホストコンピュータ（１１０）とネットワーク（１２０）とに接続されている。
【００３３】
なお、本実施形態における画像形成装置（１００）は、操作パネル（１３０）と、プリンタエンジン（１４０）と、コントローラ（１５０）と、を有して構成される。
【００３４】
操作パネル（１３０）は、画像形成装置（１００）における動作状況を示す表示部（図示せず）、画像形成装置（１００）における動作モードやフォントを切り替えるスイッチ部（図示せず）等を有して構成される。
【００３５】
プリンタエンジン（１４０）は、コントローラ（１５０）からのビデオ信号および制御信号を基に、感光体上に静電潜像を形成し、該形成した静電潜像を現像し、転写紙上に画像を形成する。
【００３６】
コントローラ（１５０）は、画像形成装置（１００）に設定されている動作モード、ホストコンピュータ（１１０）、または、ネットワーク（１２０）から出力される『印字用のデータ』に基づいて作成されたビデオ信号をプリンタエンジン（１４０）に出力する。
【００３７】
なお、『印字用のデータ』は、『印字制御データ』、『印字データ』、『その他のデータ』から構成され、コントローラ（１５０）は、『印字制御データ』に従って『印字データ』をビデオ信号に変換し、その変換したビデオ信号をプリンタエンジン（１４０）に出力する。
【００３８】
また、コントローラ（１５０）は、ホストコンピュータ（１１０）、または、ネットワーク（１２０）から出力される『印字用のデータ』の内、『その他のデータ』に含まれる設定変更コマンド（印刷条件を変更する指示）に基づいて変更された印刷条件に従ってプリンタエンジン（１４０）を動作させることになる。
【００３９】
なお、変更された印刷条件は、変更された印刷条件を解除するためのリセットコマンドによって自動的に初期化され、変更前の元の印刷条件に戻るようになっている。なお、印刷条件とは、印刷部数、両面印刷、変倍印刷、カラー、モノクロ印刷などの印刷に関する各種の条件を言う。
【００４０】
コントローラ（１５０）は、ホストＩ／Ｆ（１６０）と、ネットワークＩ／Ｆ（１６２）と、操作パネルＩ／Ｆ（１６４）と、エンジンＩ／Ｆ（１６６）と、プログラムＲＯＭ（１６８）と、フォントＲＯＭ（１７０）と、ＣＰＵ（１７２）と、ＲＡＭ（１７４）と、ＮＶ−ＲＡＭ（１７６）と、オプションＲＡＭ（１７８）と、ハードディスク（１８０）と、を有して構成される。
【００４１】
ホストＩ／Ｆ（１６０）は、ホストコンピュータ（１１０）からの『印字用のデータ』、即ち、『印字制御データ』、『印字データ』、『その他のデータ』を入力し、また、ホストコンピュータ（１１０）に対し、ステータス信号を出力する。
【００４２】
ネットワークＩ／Ｆ（１６２）は、ネットワーク（１２０）からの『印字用のデータ』を入力し、また、ネットワーク（１２０）に対しステータス信号を出力する。
【００４３】
ホストＩ／Ｆ（１６０）とネットワークＩ／Ｆ（１６２）とは、共にパラレルポート用インタフェース（例えば、ＩＥＥＥ１２８４等）であり、ホストコンピュータ（１１０）、パーソナルコンピュータ（図示せず）とプリンタとの間のインタフェースとして通常用いられているものである。パラレルポート用インタフェースのデータ転送モードとしては、セントロニクス互換モード、ニブルモード、バイトモード、ＥＣＰモード、ＥＰＰモードの５つが挙げられる。
【００４４】
操作パネルＩ／Ｆ（１６４）は、コントローラ（１５０）と操作パネル（１３０）との間の様々な信号を入出力する。エンジンＩ／Ｆ（１６６）は、コントローラ（１５０）からのビデオ信号、及び、制御信号を入力し、また、コントローラ（１５０）に対しステータス信号を出力する。
【００４５】
プログラムＲＯＭ（１６８）は、コントローラ（１５０）内でのデータ処理、データ管理、周辺モジュールを制御するためのデータ解析プログラムや初期化用の印刷条件を記憶している。
【００４６】
フォントＲＯＭ（１７０）は、印刷のときに使用される様々な種類のフォントデータを記憶している。
【００４７】
ＣＰＵ（１７２）は、プログラムＲＯＭ（１６８）に記憶されているデータ解析プログラムに従って、ホストコンピュータ（１１０）から送られてくる『印字用のデータ』を処理する。なお、ＣＰＵ（１７２）は、変更手段、解除手段、検出手段、認識手段として機能することになる。
【００４８】
ＲＡＭ（１７４）は、ＣＰＵ（１７２）が処理を行うときのワークメモリとして、ホストコンピュータ（１１０）から出力される『印字制御データ』と『印字データ』をページ単位に管理して一時記憶するバッファとして、ホストコンピュータ（１１０）から出力される印刷条件を一時記憶しておくバッファとして、実際の印字パターンに変換された『印字制御データ』と『印字データ』とをビデオデータとして記憶するためのビットマップメモリとして用いられる。
【００４９】
ＮＶ−ＲＡＭ（１７６）は、画像形成装置（１００）の電源を切ったときでも保持しておきたいデータを記憶しておくための不揮発性のＲＡＭである。
【００５０】
オプションＲＡＭ（１７８）は、拡張用のＲＡＭである。
【００５１】
ハードディスク（１８０）は、印刷ジョブなどの大容量のデータを記憶しておくための記憶装置である。
【００５２】
（図１に示す画像形成装置における制御動作）
次に、図１に示す本実施形態における画像形成装置（１００）における印刷制御について説明する。
【００５３】
まず、ホストＩ／Ｆ（１６０）を介してホストコンピュータ（１１０）から転送される『印字用のデータ』は、プログラムＲＯＭ（１６８）に記憶されているデータ解析プログラムに従ってＣＰＵ（１７２）により解析される。この解析によって『印字用のデータ』は、『印字データ』、『印字制御データ』（ＳＰ，ＣＲ，ＬＦ，ＨＴ，ＶＴ，・・）、『その他のデータ』に分類されることになる。
【００５４】
なお、『印字データ』および『印字制御データ』は、ＲＡＭ（１７４）の受信バッファに一時的に記憶される。
【００５５】
なお、『印字データ』および『印字制御データ』は、プログラムＲＯＭ（１６８）に記憶されているデータ解析プログラムに従って、１つずつ処理され、ＲＡＭ（１７４）の中間バッファに一時的に記憶される。例えば、『印字データ』が文字コードであれば、印字位置、印字サイズ、フォント情報などを備えた中間コードが作成され、その中間コードがＲＡＭ（１７４）の中間バッファに一時的に記憶される。
【００５６】
また、『印字制御データ』がエスケープシーケンスなどのコマンドであれば、そのコマンドに予め定義されている処理が行われる。例えば、そのコマンドが印字位置の指定であれば、次にくる文字コードの位置を指定された位置にし、そのコマンドがフォントの変更であれば、次にくる文字コードのフォント情報を指定されたフォントにするという処理をすることになる。
【００５７】
このように、ＣＰＵ（１７２）は、ホストコンピュータ（１１０）から出力される『印刷用のデータ』を処理し、その処理されたデータが１ページ分を超えた際に、中間バッファに記憶されている中間コードをデータ解析プログラムに従ってビデオ信号に変換する。そして、ＣＰＵ（１７２）によるビデオ信号への変換が終了した際に、コントローラ（１５０）は、エンジンＩ／Ｆ（１６６）を介してプリンタエンジン（１４０）に対し印刷開始の指令信号を出力し、コントローラ（１５０）は、その指令信号の出力に同期してプリンタエンジン（１４０）に対しビデオ信号を転送する。そして、プリンタエンジン（１４０）は、ホストコンピュータ（１１０）で設定された印刷条件に基づいて、コントローラ（１５０）側から転送されたビデオ信号を転写紙に印刷することになる。すなわち、プリンタエンジン（１４０）は、ホストコンピュータ（１１０）から送られてきた『印字データ』を印刷条件に従って印字することになる。なお、『印刷用のデータ』の処理を一時停止させる場合の処理は、ビットマップに展開したデータをＲＡＭ上に格納しておくことになる。
【００５８】
（省エネモード移行時間の設定方法）
次に、図２を参照しながら、本実施形態おける画像形成装置で行う一連の処理動作について説明する。なお、図２に示す一連の処理動作は、単位時間当たりの印刷枚数を計測し、その計測した単位時間当たりの印刷枚数に応じた省エネモード移行時間に設定する処理を行う処理動作について示したフロチャートである。
【００５９】
まず、コントローラ（１５０）は、画像形成装置の電源がＯＮになったと判断した場合に（ステップＳ１）、省エネ移行時間制御を実行するか否かを決定するためのＯＮ／ＯＦＦ設定を行う（ステップＳ２）。このステップＳ２のＯＮ／ＯＦＦ設定により、省エネモード移行時間の変更処理を行うか否かを決定することが可能となる。
【００６０】
次に、コントローラ（１５０）は、画像形成装置起動直後の省エネモード移行時間の設定を行う（ステップＳ３）。なお、画像形成装置起動直後の省エネモード移行時間の設定は、初期設定時は、デフォルト値を設定することになる。そして、初期設定時以降は、画像形成装置が停止する前に設定されていた省エネモード移行時間を設定することになる。
【００６１】
次に、コントローラ（１５０）は、単位時間測定タイマーをスタートさせる（ステップＳ４）。そして、コントローラ（１５０）は、ステップＳ３において設定した省エネモード移行時間を操作パネル（１３０）上に表示する（ステップＳ５）。
【００６２】
次に、コントローラ（１５０）は、画像形成装置において実行される印刷枚数をカウントする（ステップＳ６）。なお、コントローラ（１５０）は、ステップＳ４においてスタートさせた単位時間測定タイマーが、所定の単位時間に達するまで、印刷枚数をカウントする。
【００６３】
コントローラ（１５０）は、単位時間測定タイマーが所定の単位時間に達したと判断した場合に（ステップＳ７）、その単位時間に達するまでにステップＳ６においてカウントした印刷枚数を特定する（ステップＳ８）。
【００６４】
次に、コントローラ（１５０）は、ステップＳ８において特定した印刷枚数を基に、図３に示す省エネ移行時間管理テーブルを参照し、ステップＳ８において特定した印刷枚数に応じた省エネモード移行時間を選定し（ステップＳ９）、該選定した省エネモード移行時間を新たな省エネモード移行時間として画像形成装置に設定することになる（ステップＳ１０）。これにより、単位時間当たりにカウントした印刷枚数に応じた省エネモード移行時間に変更することが可能となる。
【００６５】
なお、図３に示す省エネ移行時間管理テーブルは、『単位時間当たりの印刷枚数』と、『省エネモード移行時間』と、が関連付けられて管理されており、『単位時間当たりの印刷枚数』に応じて『省エネモード移行時間』が選定されることになる。なお、図３に示す省エネ移行時間管理テーブルにて管理する『省エネモード移行時間』は、任意に設定変更することは可能である。
【００６６】
次に、コントローラ（１５０）は、ステップＳ４に移行し、再度、単位時間測定タイマーをスタートさせることになる（ステップＳ４）。
【００６７】
これにより、単位時間当たりに画像形成装置において実行された印刷枚数をカウントし、そのカウントした単位時間当たりの印刷枚数に応じた省エネモード移行時間を設定することが可能となる。
【００６８】
例えば、図４に示すように、単位時間を１ｈとした場合には、図２のステップＳ４において単位時間測定タイマーをスタートさせてからステップＳ７において単位時間到達と判断するまでの時間が１ｈとなる。そして、その単位時間当たりにカウントした印刷枚数に応じた省エネモード移行時間を設定することになる。図４では、ＡＭ１１：００〜ＡＭ１２：００までにカウントされた単位時間当たりの印刷枚数は、４４枚であり、この時間帯では、印刷枚数が多くなるため、省エネモード移行時間を長く設定することになる。逆に、ＡＭ１２：００〜ＰＭ１：００までにカウントされた単位時間当たりの印刷枚数は、０枚であり、この時間帯では、印刷枚数が少なくなるため、省エネモード移行時間を短く設定することになる。
【００６９】
このように、本実施形態における画像形成装置は、単位時間当たりのコピー、プリンタ、ファックス等の印刷枚数を計測し、その計測した単位時間当たりの印刷枚数に応じた省エネモード移行時間に設定することで、画像形成装置内で実行される具体的な処理動作を基に、省エネモード移行時間を自動的に設定することが可能となる。
【００７０】
従って、画像形成装置の使用頻度の少ない時間帯は、すぐに省エネモードに移行し、消費電力削減を行うことが可能となる。また、画像形成装置の使用頻度の高い時間帯は、スタンバイ状態を維持することで、すぐに印刷処理が実行できるようになり、利便性を向上させることが可能となる。
【００７１】
（第２の実施形態）
次に、第２の実施形態について説明する。
【００７２】
第２の実施形態における画像形成装置は、画像形成装置において描画処理を実行している描画処理時間を計測し、その計測した描画処理時間に応じた省エネモード移行時間に設定することを特徴とするものである。これにより、画像形成装置内で実行される具体的な処理動作を基に、省エネモード移行時間を自動的に設定することが可能となる。以下、図５〜図８を参照しながら、第２の実施形態の画像形成装置について説明する。
【００７３】
まず、図５を参照しながら、第２の実施形態おける画像形成装置で行う一連の処理動作について説明する。なお、図５に示す一連の処理動作は、描画処理時間を計測し、その計測した描画処理時間に応じた省エネモード移行時間に設定する処理を行う処理動作について示したフロチャートである。
【００７４】
まず、コントローラ（１５０）は、画像形成装置の電源がＯＮになったと判断した場合に（ステップＡ１）、画像形成装置起動直後の省エネモード移行時間の設定を行う（ステップＡ２）。なお、画像形成装置起動直後の省エネモード移行時間の設定は、初期設定時は、デフォルト値を設定することになる。そして、初期設定時以降は、画像形成装置が停止する前に設定されていた省エネモード移行時間を設定することになる。
【００７５】
次に、コントローラ（１５０）は、単位時間測定タイマーをスタートさせる（ステップＡ３）。そして、コントローラ（１５０）は、ステップＡ２において設定した省エネモード移行時間を操作パネル（１３０）上に表示する（ステップＡ４）。
【００７６】
次に、コントローラ（１５０）は、画像形成装置において描画処理を実行している描画処理時間を計測する（ステップＡ５）。なお、ステップＡ５における描画処理時間の計測処理について、図６を基に説明する。
【００７７】
まず、コントローラ（１５０）は、描画処理が開始したか否かを判断し（ステップＡ５１）、描画処理が開始したと判断した場合は（ステップＡ５１／Ｙｅｓ）、描画処理測定タイマーをスタートさせる（ステップＡ５２）。
【００７８】
次に、コントローラ（１５０）は、描画処理が終了したか否かを判断し（ステップＡ５３）、描画処理が終了したと判断した場合に（ステップＡ５３／Ｙｅｓ）、描画処理測定タイマーを一時停止させることになる（ステップＡ５４）。そして、再び、描画処理が開始したか否かを判断することになる（ステップＡ５１）。これにより、コントローラ（１５０）は、描画処理を行っている描画処理時間を計測することが可能となる。
【００７９】
なお、コントローラ（１５０）は、ステップＡ３においてスタートさせた単位時間測定タイマーが、所定の単位時間に達するまで、上述した図６に示す描画処理時間の測定処理を行うことになる。
【００８０】
そして、コントローラ（１５０）は、単位時間測定タイマーが所定の単位時間に達したと判断した場合に（ステップＡ６）、その単位時間に達するまでにステップＡ５において測定した描画処理時間を特定する（ステップＡ７）。
【００８１】
次に、コントローラ（１５０）は、ステップＡ７において特定した描画処理時間を基に、図７に示す省エネ移行時間テーブルを参照し、ステップＡ７において特定した描画処理時間に応じた省エネモード移行時間を選定し（ステップＡ８）、該選定した省エネモード移行時間を新たな省エネモード移行時間として画像形成装置に設定することになる（ステップＡ９）。これにより、単位時間当たりに測定した描画処理時間に応じた省エネモード移行時間に変更することが可能となる。
【００８２】
なお、図７に示す省エネ移行時間管理テーブルは、『単位時間当たりの描画処理時間』と、『省エネモード移行時間』と、が関連付けられて管理されており、『単位時間当たりの描画処理時間』に応じて『省エネモード移行時間』が選定されることになる。なお、図７に示す省エネ移行時間管理テーブルにて管理する『省エネモード移行時間』は、任意に設定変更することは可能である。
【００８３】
次に、コントローラ（１５０）は、ステップＡ３に移行し、再度、単位時間測定タイマーをスタートさせることになる（ステップＡ３）。
【００８４】
これにより、単位時間当たりに画像形成装置において実行された描画処理時間を計測し、その計測した単位時間当たりの描画処理時間に応じた省エネモード移行時間を設定することが可能となる。
【００８５】
例えば、図８に示すように、単位時間を１ｈとした場合には、図５のステップＡ３において単位時間測定タイマーをスタートさせてからステップＡ６において単位時間到達と判断するまでの時間が１ｈとなる。そして、その単位時間当たりに計測した描画処理時間に応じた省エネ移行時間を設定することになる。図８では、ＡＭ１１：００〜ＡＭ１２：００までに測定された単位時間当たりの描画処理時間は、４４０ｓであり、この時間帯では、描画処理時間が多くなるため、省エネモード移行時間を長く設定することになる。逆に、ＡＭ１２：００〜ＰＭ１：００までに測定された単位時間当たりの描画処理時間は、０ｓであり、この時間帯では、描画処理時間が少なくなるため、省エネモード移行時間を短く設定することになる。
【００８６】
このように、本実施形態における画像形成装置は、描画処理を行っている単位時間当たりの描画処理時間を計測し、その計測した単位時間当たりの描画処理時間に応じた省エネモード移行時間に設定することで、画像形成装置内で実行される具体的な処理動作を基に、省エネモード移行時間を自動的に設定することが可能となる。
【００８７】
従って、画像形成装置の使用頻度の少ない時間帯は、すぐに省エネモードに移行し、消費電力削減を行うことが可能となる。また、画像形成装置の使用頻度の高い時間帯は、スタンバイ状態を維持することで、すぐに印刷処理が実行できるようになり、利便性を向上させることが可能となる。
【００８８】
（第３の実施形態）
次に、第３の実施形態について説明する。
【００８９】
第３の実施形態における画像形成装置は、画像形成装置が印刷待機状態に移行してから印刷起動状態になるまでの待機状態時間を計測し、その計測した待機状態時間に応じた省エネモード移行時間に設定することを特徴とするものである。これにより、画像形成装置内で実行される具体的な処理動作を基に、省エネモード移行時間を自動的に設定することが可能となる。以下、図９〜図１１を参照しながら、第３の実施形態の画像形成装置について説明する。
【００９０】
まず、図９を参照しながら、第３の実施形態おける画像形成装置で行う一連の処理動作について説明する。なお、図９に示す一連の処理動作は、待機状態時間を計測し、その計測した待機状態時間に応じた省エネモード移行時間に設定する処理を行う処理動作について示したフロチャートである。
【００９１】
まず、コントローラ（１５０）は、印刷処理が終了したと判断した場合に（ステップＢ１）、待機時間測定タイマーをスタートさせる（ステップＢ２）。
【００９２】
次に、コントローラ（１５０）は、印刷処理が開始されたと判断した場合に（ステップＢ３）、待機時間測定タイマーを停止させる（ステップＢ４）。そして、コントローラ（１５０）は、ステップＢ２において待機時間測定タイマーをスタートさせてから、ステップＢ４において待機時間測定タイマーを停止させるまでの待機状態時間を特定する（ステップＢ５）。
【００９３】
次に、コントローラ（１５０）は、ステップＢ５において特定した待機状態時間を基に、図１０に示す省エネ移行時間テーブルを参照し、ステップＢ５において特定した待機状態時間に応じた省エネモード移行時間を選定し（ステップＢ６）、該選定した省エネモード移行時間を新たな省エネモード移行時間として画像形成装置に設定することになる（ステップＢ７）。
【００９４】
なお、図１０に示す省エネ移行時間管理テーブルは、『待機状態時間』と、『省エネモード移行時間』と、が関連付けられて管理されており、『待機状態時間』に応じて『省エネモード移行時間』が選定されることになる。なお、図１０に示す省エネ移行時間管理テーブルにて管理する『省エネモード移行時間』は、任意に設定変更することは可能である。
【００９５】
次に、コントローラ（１５０）は、ステップＢ７において設定変更した省エネモード移行時間を操作パネル（１３０）上に表示することになる（ステップＢ８）。
【００９６】
これにより、印刷待機状態に移行してから印刷起動状態になるまでの待機状態時間を計測し、その計測した待機状態時間に応じた省エネモード移行時間を設定することが可能となる。
【００９７】
例えば、図１１に示すように、『印刷動作終了』から『印刷動作開始』までの期間は、『スタンバイ状態』となり、この『スタンバイ状態』の待機状態時間に応じて省エネモード移行時間を設定することが可能となる。
【００９８】
このように、本実施形態における画像形成装置は、印刷待機状態に移行してから印刷起動状態になるまでの待機状態時間を計測し、その計測した待機状態時間に応じた省エネモード移行時間に設定することで、画像形成装置内で実行される具体的な処理動作を基に、省エネモード移行時間を自動的に設定することが可能となる。
【００９９】
従って、スタンバイ状態の待機状態時間が長い場合には、使用頻度が少ないといえるので省エネモード移行時間を長く設定することで、消費電力削減を行うことが可能となる。
【０１００】
逆に、待機状態時間が短い場合には、使用頻度が多いといえるので省エネモード移行時間を短く設定することで、ウオームアップを待つことなく、すぐに印刷処理が実行できるようになり、利便性を向上させることが可能となる。
【０１０１】
なお、上述した第３の実施形態においては、例えば、スタンバイ状態の待機状態時間を複数回計測し、その複数回計測した待機状態時間を基に、平均待機状態時間を算出し、その算出した平均待機状態時間に応じた省エネモード移行時間に設定するようにすることも可能である。このように、平均待機状態時間を算出することで、画像形成装置の使用状況をより正確に測定することが可能となる。
【０１０２】
（第４の実施形態）
次に、第４の実施形態について説明する。
【０１０３】
第４の実施形態における画像形成装置は、省エネモードに移行してから該省エネモードから復帰するまでの省エネモード時間を計測し、その計測した省エネモード時間に応じた省エネモード移行時間に設定することを特徴とするものである。これにより、画像形成装置内で実行される具体的な処理動作を基に、省エネモード移行時間を自動的に設定することが可能となる。以下、図１２〜図１４を参照しながら、第４の実施形態の画像形成装置について説明する。
【０１０４】
まず、図１２を参照しながら、第４の実施形態おける画像形成装置で行う一連の処理動作について説明する。なお、図１２に示す一連の処理動作は、省エネモード時間を計測し、その計測した省エネモード時間に応じた省エネモード移行時間に設定する処理を行う処理動作について示したフロチャートである。
【０１０５】
まず、コントローラ（１５０）は、省エネモードに移行したと判断した場合に（ステップＣ１）、省エネ時間測定タイマーをスタートさせる（ステップＣ２）。
【０１０６】
次に、コントローラ（１５０）は、省エネモードが復帰したと判断した場合に（ステップＣ３）、省エネ時間測定タイマーを停止させる（ステップＣ４）。そして、コントローラ（１５０）は、ステップＣ２において省エネ時間測定タイマーをスタートさせてから、ステップＣ４において省エネ時間測定タイマーを停止させるまでの省エネモード時間を特定する（ステップＣ５）。
【０１０７】
次に、コントローラ（１５０）は、ステップＣ５において特定した省エネモード時間を基に、図１３に示す省エネ移行時間テーブルを参照し、ステップＣ５において特定した省エネモード時間に応じた省エネモード移行時間を選定し（ステップＣ６）、該選定した省エネモード移行時間を新たな省エネモード移行時間として画像形成装置に設定することになる（ステップＣ７）。
【０１０８】
なお、図１３に示す省エネ移行時間管理テーブルは、『省エネモード時間』と、『省エネモード移行時間』と、が関連付けられて管理されており、『省エネモード時間』に応じて『省エネモード移行時間』が選定されることになる。なお、図１３に示す省エネ移行時間管理テーブルにて管理する『省エネモード移行時間』は、任意に設定変更することは可能である。
【０１０９】
次に、コントローラ（１５０）は、ステップＣ７において設定変更した省エネモード移行時間を操作パネル（１３０）上に表示することになる（ステップＣ８）。
【０１１０】
これにより、省エネモードに移行してから該省エネモードから復帰するまでの省エネモード時間を計測し、その計測した省エネモード時間に応じた省エネモード移行時間を設定することが可能となる。
【０１１１】
例えば、図１４に示すように、『省エネモード移行』から『省エネモード復帰』までの省エネモード時間に応じて省エネモード移行時間を設定することが可能となる。
【０１１２】
このように、本実施形態における画像形成装置は、省エネモードに移行してから該省エネモードから復帰するまでの省エネモード時間を計測し、その計測した省エネモード時間に応じた省エネモード移行時間に設定することで、画像形成装置内で実行される具体的な処理動作を基に、省エネモード移行時間を自動的に設定することが可能となる。
【０１１３】
従って、省エネモードに移行してから該省エネモードから復帰するまでの省エネモード時間が短い場合には、省エネモードに移行してすぐに印刷処理を行っていることになり、印刷処理までにウオームアップの時間を待たなければならない上、省エネモードを有効に使えていないことになる。この場合には、省エネモード移行時間を短くすることで、ウオームアップを待つことなく、すぐに印刷処理を行うことが可能となり、利便性を向上させることが可能となる。
【０１１４】
なお、上述した第４の実施形態においては、例えば、省エネモードに移行してから該省エネモードに復帰するまでの省エネモード時間を複数回計測し、その複数回計測した省エネモード時間を基に、平均省エネモード時間を算出し、その算出した平均省エネモード時間に応じた省エネモード移行時間に設定するようにすることも可能である。このように、平均省エネモード時間を算出することで、使用状況をより正確に測定することが可能となる。
【０１１５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１１６】
例えば、上述した各実施形態において、単位時間到達と判断する判断基準となる単位時間を任意に変更するようにすることも可能である。この単位時間を任意に変更するように構築することで、例えば、１日／１週間／１ヶ月／１年単位での省エネモード移行時間の設定を行うことが可能となる。
【０１１７】
また、上述した各実施形態において行った動作を適宜組み合わせ、画像形成装置内で実行される様々な動作に応じた省エネモード移行時間に設定するように構築することも可能である。
【０１１８】
即ち、印刷枚数を計測する処理と、描画処理を実行している描画処理時間を計測する処理と、印刷待機状態に移行してから印刷起動状態になるまでの待機状態時間を計測する処理と、省エネモードに移行してから該省エネモードから復帰するまでの省エネモード時間を計測する処理と、の少なくとも１つの処理を行い、その少なくとも１つの処理を行った際に計測される印刷枚数と、描画処理時間と、待機状態時間と、省エネモード時間と、の少なくとも１つの情報に応じた省エネモード移行時間に設定するようにすることも可能である。
【０１１９】
なお、上述した印刷枚数を計測する処理と、描画処理を実行している描画処理時間を計測する処理と、印刷待機状態に移行してから印刷起動状態になるまでの待機状態時間を計測する処理と、省エネモードに移行してから該省エネモードから復帰するまでの省エネモード時間を計測する処理と、の何れかの処理を行うかは、任意に設定変更することは可能である。
【０１２０】
また、上述した本実施形態の画像形成装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、画像形成装置に読み込ませることで、上述した制御動作を、画像形成装置において実行させることも可能である。また、所定のネットワークを介して接続されている外部機器から上記プログラムを画像形成装置に読み込ませることで、上述した制御動作を、画像形成装置において実行させることも可能である。
【産業上の利用可能性】
【０１２１】
本発明にかかる画像形成装置、省エネ設定方法及び省エネ設定プログラムは、一定時間の間、装置を使用しなかった場合に、消費電力を落とす機能（省エネモード、省電力モード）を搭載した機器全般に適用可能である。
【図面の簡単な説明】
【０１２２】
【図１】本実施形態の画像形成装置の構成を示す図である。
【図２】本実施形態の画像形成装置で行う一連の処理動作（省エネ設定処理）を示すフロチャートである。
【図３】図２に示す処理動作に使用する省エネ移行時間管理テーブルのテーブル構成を示す図である。
【図４】単位時間当たりの印刷枚数を計測し、その計測した単位時間当たりの印刷枚数に応じた省エネモード移行時間に設定する場合を説明するための図である。
【図５】第２の実施形態の画像形成装置で行う一連の処理動作（省エネ設定処理）を示すフロチャートである。
【図６】図５に示すステップＡ５の描画処理時間の測定処理を示すフロチャートである。
【図７】図５に示す処理動作に使用する省エネ移行時間管理テーブルのテーブル構成を示す図である。
【図８】単位時間当たりの描画処理時間を計測し、その計測した単位時間当たりの描画処理時間に応じた省エネモード移行時間に設定する場合を説明するための図である。
【図９】第３の実施形態の画像形成装置で行う一連の処理動作（省エネ設定処理）を示すフロチャートである。
【図１０】図９に示す処理動作に使用する省エネ移行時間管理テーブルのテーブル構成を示す図である。
【図１１】待機状態時間を計測し、その計測した待機状態時間に応じた省エネモード移行時間に設定する場合を説明するための図である。
【図１２】第４の実施形態の画像形成装置で行う一連の処理動作（省エネ設定処理）を示すフロチャートである。
【図１３】図１２に示す処理動作に使用する省エネ移行時間管理テーブルのテーブル構成を示す図である。
【図１４】省エネモード時間を計測し、その計測した省エネモード時間に応じた省エネモード移行時間に設定する場合を説明するための図である。
【符号の説明】
【０１２３】
１００    画像形成装置
１１０    ホストコンピュータ
１２０    ネットワーク
１３０    操作パネル
１４０    プリンタエンジン
１５０    コントローラ
１６０    ホストＩ／Ｆ
１６２    ネットワークＩ／Ｆ
１６４    操作パネルＩ／Ｆ
１６６    エンジンＩ／Ｆ
１６８    プログラムＲＯＭ
１７０    フォントＲＯＭ
１７２    ＣＰＵ
１７４    ＲＡＭ
１７６    ＮＶ−ＲＡＭ
１７８    オプションＲＡＭ
１８０    ハードディスク
【図１】
2008065274.tif 000003
【図２】
2008065274.tif 000004
【図３】
2008065274.tif 000005
【図４】
2008065274.tif 000006
【図５】
2008065274.tif 000007
【図６】
2008065274.tif 000008
【図７】
2008065274.tif 000009
【図８】
2008065274.tif 000010
【図９】
2008065274.tif 000011
【図１０】
2008065274.tif 000012
【図１１】
2008065274.tif 000013
【図１２】
2008065274.tif 000014
【図１３】
2008065274.tif 000015
【図１４】
2008065274.tif 000016